(57)【要約】【課題】エンジンのブローバイガスに含まれる不純物回収部が点検など行いやすい状態で備える作業車を提供する。【解決手段】エンジン１１から排出されるブローバイガスをエンジン１１の吸気路１６Ａに還流させるブローバイガス還流路２１を備えている。ブローバイガスに含まれる不純物を回収する不純物回収部２４を備えている。不純物回収部２４は、車体の外周部に設けられている。【選択図】図３
2019148197.tif 000002
【特許請求の範囲】
【請求項１】
車体に支持されたエンジンと、
前記エンジンから排出されるブローバイガスを前記エンジンの吸気路に還流させるブローバイガス還流路と、
ブローバイガスに含まれる不純物を回収する不純物回収部と、が備えられ、
前記不純物回収部は、前記車体の外周部に設けられている作業車。
【請求項２】
前記不純物回収部に、回収された不純物が貯留されるドレン容器が脱着可能に備えられている請求項１に記載の作業車。
【請求項３】
前記ドレン容器は、貯留された不純物を前記ドレン容器の外側から透視可能に構成されている請求項２に記載の作業車。
【請求項４】
荷台前端側が前記車体に対して上昇した上昇排出姿勢と、荷台前端側が前記車体に対して下降した下降積載姿勢とにわたって上下揺動可能な状態で前記車体の後部に支持された荷台が備えられ、
前記不純物回収部は、前記外周部としての前記車体の後部における外周部に設けられている請求項１から３のいずれか一項に記載の作業車。
【発明の詳細な説明】
【技術分野】
【０００１】
本発明は、車体に支持されたエンジンと、前記エンジンから排出されるブローバイガスを前記エンジンの吸気路に還流させるブローバイガス還流路とが備えられた作業車に関する。
【背景技術】
【０００２】
上記した作業車は、エンジンから排出されるブローバイガスがエンジンの吸気路に還流され、ブローバイガスが大気に解放されることの回避を図るものである。
【０００３】
この種の技術としては、例えば特許文献１に示されるものがある。すなわち、特許文献１では、シリンダヘッドに取付けたヘッドカバーにＰＣＶバルブが取り付けられている。ＰＣＶバルブは、ブローバイガス通路を介してスロットバルブの下流側吸気通路に連通されている。
【先行技術文献】
【特許文献】
【０００４】
【特許文献１】特開２０１１−１８５１８１号公報
【発明の概要】
【発明が解決しようとする課題】
【０００５】
ブローバイガスに含まれるオイルや水分などの不純物が吸気路に滞留すると、吸気路が塞がれる恐れがある。そこで、ブローバイガスに含まれる不純物を回収する不純物回収部を設けることが考えられる。しかし、不純物回収部を設けても、車体の外部から不純物回収部に手が届きにくい場合、不純物回収部の点検に手間が掛かるので点検が煩わしくなって定期確認がおろそかになり、不純物の滞留によってエンジンがスムーズに駆動しなくなることがある。つまり、不純物回収部が役立たないものになる。
【０００６】
本発明は、不純物回収部が有意義なものとなる状態で備える作業車を提供することにある。
【課題を解決するための手段】
【０００７】
本発明による作業車は、
車体に支持されたエンジンと、
前記エンジンから排出されるブローバイガスを前記エンジンの吸気路に還流させるブローバイガス還流路と、
ブローバイガスに含まれる不純物を回収する不純物回収部と、が備えられ、
前記不純物回収部は、前記車体の外周部に設けられている。
【０００８】
本構成によると、不純物回収部に車体の外部から手が届きやすいので、不純物回収部の点検が苦にならず、不純物回収部をきっちり点検されるようにできる。
【０００９】
本発明においては、前記不純物回収部に、回収された不純物が貯留されるドレン容器が脱着可能に備えられていると好適である。
【００１０】
本構成によると、ドレン容器を取り外して不純物をドレン容器から取り出せるので、回収された不純物を取り出しやすい。
【００１１】
本発明においては、前記ドレン容器は、貯留された不純物を前記ドレン容器の外側から透視可能に構成されていると好適である。
【００１２】
本構成によると、ドレン容器を取り外さないで、不純物の貯留を知ることができるので、ドレン容器を無駄に取り外す手間を掛けずに点検できる。
【００１３】
本発明においては、荷台前端側が前記車体に対して上昇した上昇排出姿勢と、荷台前端側が前記車体に対して下降した下降積載姿勢とにわたって上下揺動可能な状態で前記車体の後部に支持された荷台が備えられ、前記不純物回収部は、前記外周部としての前記車体の後部における外周部に設けられていると好適である。
【００１４】
本構成によると、荷台前端側が車体に対して上昇した上昇排出姿勢に揺動可能な荷台を備える作業車では、車体の後部に空きスペースが存在するので、不純物回収部を車体の後部における外周部に設けると、空きスペースから不純物回収部に手がより届きやすいことに着目し、不純物回収部を車体の後部における外周部に設けたものなので、不純物回収部に車体の外部からより容易に手が届き、不純物回収部をより容易に点検できる。
【図面の簡単な説明】
【００１５】
【図１】ユーティリティビーグルの全体を示す右側面図である。
【図２】原動部を示す平面図である。
【図３】不純物回収部を示す側面図である。
【図４】不純物回収部を示す後面図である。
【図５】ドレン容器を示す断面図である。
【発明を実施するための形態】
【００１６】
以下、本発明の実施の形態を作業車の一例としてのユーティリティビーグル（多目的車両）に適用した場合について、図面に基づいて説明する。
〔ユーティリティビーグルの全体の構成について〕
以下の説明では、ユーティリティビーグルの車体１に関し、図１に示される矢印Ｆの方向を「車体前方」、矢印Ｂの方向を「車体後方」、紙面表側の方向を「車体右方」、紙面裏側の方向を「車体左方」とする。
【００１７】
図１に示されるように、ユーティリティビーグルは、パイプフレーム材などを組み合わせて構成された車体フレーム１Ａを有する車体１、車体１の前部に操向可能かつ駆動可能に装備された左右一対の前車輪２、車体１の後部に駆動可能に装備された左右一対の後車輪３を備えている。車体１の前部に、車体フレーム１Ａの前部などの上方を覆うフロントリッド４が設けられている。前車輪２と後車輪３との間に運転部５が形成されている。運転部５に、運転座席６、及び、前車輪２を操向操作するステアリングホィール７が備えられている。車体１の後部に荷台８が設けられている。荷台８は、荷台８の後部に設けられた支軸の車体幅方向に延びる軸芯Ｐを揺動支点にして、荷台前端側が車体１に対して上昇した上昇排出姿勢と、荷台前端側が車体１に対して下降した下降積載姿勢とに亘って揺動昇降可能な状態で車体フレーム１Ａに支持されている。車体１の後部のうちの荷台８の下方箇所に、前車輪２及び後車輪３に動力を出力するエンジン１１を有する原動部１０が形成されている。
【００１８】
〔原動部１０の構成について〕
原動部１０は、図２に示されるように、エンジン１１、及び、エンジン用の排気マフラー１２などを備えている。エンジン１１は、車体フレーム１Ａの後部に車体前後方向に延びる状態で備えられた左右一対の後部フレーム９の間に設けられ、後部フレーム９に支持されている。排気マフラー１２は、左右の後部フレーム９の間のエンジン１１よりも左横側の箇所に設けられている。
【００１９】
図２に示されるように、エンジン１１の後部に燃焼用空気を吸引する吸気部１３が形成されている。吸気部１３に燃焼室１４及びスロットルバルブ１５を介して吸気路１６が接続されている。吸気路１６は、図２，３に示されるように、スロットルバルブ１５に接続されたレゾネータ１７、車体１の外周部のうちの車体右横側に位置する部分に設けられたエアクリーナ１８、レゾネータ１７の吸気部とエアクリーナ１８の吐出部とを接続する下流側の吸気管路１６Ａ、エアクリーナ１８の吸入部から車体前方向きに延出された上流側の吸気管路１６Ｂを備えている。上流側の吸気管路１６Ｂは、図１に示されるように、フロントリッド４の内側まで延出されている。上流側の吸気管路１６Ｂの先端の吸気口１９がフロントリッド４の内部空間に開口している。図３に示される２７は、エンジン１１の動力を後車輪３及び前車輪２に伝達する走行ミッションである。図３に示される２８は、下流側の吸気管路１６Ａを支持するステーである。ステー２８は、支持部材２９に支持されている。支持部材２９は、エンジン１１から後向きに延出され、延出端側で走行ミッション２７を支持している。
【００２０】
吸気路１６においては、エンジン１１の吸引力により、フロントリッド４の内部空間に位置する空気が上流側の吸気管路１６Ｂに吸気口１９から吸引されて、上流側の吸気管路１６Ｂによってエアクリーナ１８に導入される。エアクリーナ１８によって塵埃の除去処理が行われた空気が下流側の吸気管路１６Ａによってレゾネータ１７に導入され、レゾネータ１７によって吸気音の消音処理をされつつスロットルバルブ１５及び燃焼室１４を介してエンジン１１に燃焼用空気として吸引される。
【００２１】
図２に示されるように、エンジン１１の横側部にブローバイガス排出部２０が形成されている。ブローバイガス排出部２０に備えられたブローバイガスの流量調整弁としてのＰＣＶバルブ（ポジティブクランクケースベンチレーション、図示せず）と、吸気路１６のうちの下流側の吸気管路１６Ａとにブローバイガス還流路２１が接続されている。エンジン１１から排出されたブローバイガスがブローバイガス還流路２１によって下流側の吸気管路１６Ａに還流され、下流側の吸気管路１６Ａからレゾネータ１７及びスロットルバルブ１５を介して燃焼室１４に還流されて燃焼室１４で再燃焼される。
【００２２】
図３，４に示されるように、下流側の吸気管路１６Ａのうち、ブローバイガス還流路２１が接続されている箇所よりも下流側の部分に、ドレン容器２３を有する不純物回収部２４が備えられている。ブローバイガスに含まれる不純物としてのオイル及び水分が不純物回収部２４によって回収され、回収されたオイル及び水分がドレン容器２３に貯留される。
【００２３】
具体的には、下流側の吸気管路１６Ａに下向きに湾曲する湾曲管路部分２２が備えられている。不純物回収部２４は、湾曲管路部分２２によって構成されている。図５に示されるように、湾曲管路部分２２における底部に排出筒部２５が形成されている。排出筒部２５にドレン容器２３が装着されている。ブローバイガス、及び、ブローバイガスに含まれるオイル及び水分が湾曲管路部分２２に流入すると、湾曲管路部分２２が下向きに湾曲しているので、オイル及び水分が湾曲管路部分２２の底部に滞留し、ブローバイガスがオイル及び水分と分離して湾曲管路部分２２を通過していく。これにより、ブローバイガスに含まれるオイル及び水分が不純物回収部２４に回収される。回収されたオイル及び水分が排出筒部２５から流出してドレン容器２３に入り込む。
【００２４】
不純物回収部２４は、図２，３，４に示されるように、車体１の外周部としての車体１の後部における外周部に設けられている。ドレン容器２３は、不純物回収部２４に脱着可能に備えられている。具体的には、図５に示されるように、ドレン容器２３の受入口が排出筒部２５に下方から外嵌され、受入口が締め付けバンド２６によって排出筒部２５に圧着されている。ドレン容器２３は、貯留された不純物がドレン容器２３の外側から透視可能に構成されている。具体的には、ドレン容器２３が全体にわたって透明部材によって構成されている。ドレン容器２３の全体を透明部材で構成するのに限らず、スリット状の窓を採用してもよい。
【００２５】
車体１の後方からドレン容器２３を見て、ドレン容器２３における不純物の貯留を基に、不純物の回収が行われているか否かを判断できる。また、回収された不純物の取り除きが必要かどうかを判断できる。修理や取り除きが必要と判断した際、車体１の後方から不純物回収部２４に手を容易に届かせて修理できる。また、ドレン容器２３を取り外して回収された不純物をドレン容器２３から取り出せる。
〔別実施形態〕
【００２６】
（１）上記した実施形態では、不純物回収部２４が車体１の後部における外周部に設けられた例を示したが、これに限らない。たとえば、車体１の横側部における外周部など、どのよう部位での外周部に設けてもよい。
【００２７】
（２）上記した実施形態では、吸気路１６によって構成された不純物回収部２４を採用された例を示したが、これに限らない。たとえば、不純物を含むブローバイガスを衝突部材に衝突させてブローバイガスと不純物とを分離させる構成を採用した不純物回収部など、専用の不純物回収部を採用してもよい。
【００２８】
（３）上記して実施形態では、貯留された不純物を外側から透視可能なドレン容器２３が採用された例を示したが、これに限らず、透視不能なドレン容器を採用してもよい。
【産業上の利用可能性】
【００２９】
本発明は、ユーティリティビーグルの他、運搬車、トラクタ、コンバインなど各種の作業車に適用できる。
【符号の説明】
【００３０】
１        車体
８        荷台
１１      エンジン
１６Ａ    吸気路（下流側の吸気管路）
２１      ブローバイガス還流路
２３      ドレン容器
２４      不純物回収部
【図１】
2019148197.tif 000003
【図２】
2019148197.tif 000004
【図３】
2019148197.tif 000005
【図４】
2019148197.tif 000006
【図５】
2019148197.tif 000007